(57)【特許請求の範囲】
【請求項１】
地中に埋設される雨水貯留浸透槽内に、上下左右に積層されて空隙を形成して充填される充填部材を有して、該形成された空隙に雨水を貯留するとともに、該貯留された雨水を、該充填部材の周囲に設けられた浸透シートから、地中へ浸透させる地下埋設型貯留浸透システムに用いられる底板構造であって、
前記充填部材の最下面部に設けられる底板には、該底板の上面側から下面側に向けて、該上面に滞留した雨水を流下させる貫通孔部を設け、該底板のうち、前記浸透シートに対面する下面側には、該貫通孔部の周囲に凹設形成される逃がし流路を形成することを特徴とする底板構造。
【請求項２】
前記逃がし流路は、貫通孔部の下面側周縁に凹設形成される環状の周縁凹溝部であることを特徴とする請求項１記載の底板構造。
【請求項３】
前記逃がし流路は、近接する貫通孔部間を連通させるように形成されていることを特徴とする請求項１又は２に記載の底板構造。
【請求項４】
前記逃がし流路は、前記底板の上面側に形成される補強リブ部の位置と、一致させて形成されていることを特徴とする請求項１乃至３のうち、何れか一項記載の底板構造。
【請求項５】
前記底板の上面側には、前記貫通孔部の周縁から上方に向けて、濁質止めリング部が一体に突設形成されていることを特徴とする請求項１乃至４のうち、何れか一項記載の底板構造。
【請求項６】
前記底板の下面側を、前記逃がし流路の天井面部が、雨水貯留浸透槽の床部に敷設された前記浸透シートから間隔を置くように対面させて載置すると共に、他の充填部材を前記充填部材の上部に積層することを特徴とする請求項１乃至５のうち、何れか一項記載の底板構造からなる地下埋設型貯留浸透システム。
【発明の詳細な説明】
【技術分野】
【０００１】
本発明は、降雨時に、河川や下水道施設への負荷を低減させる雨水貯留槽等に用いる充填部材及び該充填部材を用いた地下埋設型貯留浸透システムに関し、特に、雨水と共に流入する砂等による排水経路の目詰まりを抑制して、メンテナンス間隔を長くすることが出来る底板構造からなる地下埋設型貯留浸透システムに関するものである。
【背景技術】
【０００２】
従来、図１１又は、図１２に示すような複数の充填部材２…を積層した雨水貯留槽１からなる地下埋設型貯留浸透システムが知られている（例えば、特許文献１等参照。）。
【０００３】
このような従来の雨水貯留槽１では、雨水貯留槽１本体の外周部を略全部包み込むように設けられる浸透シート４の底面部４ａが、敷設されている。
【０００４】
また、この底面部４ａには、前記複数の充填部材２…のうち、最下面部に設けられる充填部材の一つとしての底板部材５…が、縦横に敷き詰められて、複数枚敷設されている。
【０００５】
この底板部材５には、図１２に示すように、上面視略正方形形の平板状を呈する底板本体５ａの上側面が、複数の補強リブ部５ｂ…によって、補強されることにより、面剛性を向上させて、上方から加わる荷重を面状に受け止めることにより、前記床部１ａに略均等に分散させるように構成されている。
【０００６】
また、この底板部材５の四隅には、上面視略二等辺直角三角形状を呈して、脚部連結部５ｃ…が、凹設形成されている。
【０００７】
この脚部連結部５ｃ…は、各々前記上方に積層される他の充填部材２…の四隅の脚部２ａ…との間に介装される連結部材としてのスペーサ部材６…若しくは、これらの積層された充填部材２，２間又は、上面部材７との間に介装される連結部材としての接続部材８…等が、上方から係合されるように構成されている。
【０００８】
そして、この底板部材５ｃの少なくとも一部には、図１３に示すように、底板本体５ａの上面側から下面側に向けて、この底板本体５ａの上面側に滞留した雨水を流下させる貫通孔部９…が設けられている。
【０００９】
この貫通孔部９の周縁からは、上方に向けて、濁質止めリング部１０が、一体に突設形成されている。
【００１０】
次に、この従来の底板部材５の作用効果について、説明する。
【００１１】
この従来の底板部材５…が用いられる雨水貯留槽１では、前記積層された充填部材２，２間の空隙や、これらの充填部材２と、前記上面部材７若しくは底板部材５との間に形成された間隙に、流入した雨水が、一旦貯留される。
【００１２】
貯留された雨水は、これらの充填部材２等の周囲に設けられた浸透シート４を介して、地中Ｇ内に浸出する。
【００１３】
前記底板部材５の底板本体５ａの上面側で、前記補強リブ部５ｂ…によって囲まれた部分に滞留した雨水Ｗ１は、図１３に示すように、前記濁質止めリング部１０の上縁１０ａを乗り越えて、前記貫通孔部９から、下面側へ流出する。
【００１４】
この際、前記濁質止めリング部１０の手前で、殆どの比較的比重の重い泥Ｄ１等の濁質は、この濁質止めリング部１０周縁に留まり、主に、雨水Ｗ２が、前記底面部４ａの浸透シート４から、地中Ｇに浸出する。
【特許文献１】特許第３６６０９１７号公報（第００２２段落乃至第００６８段落、図１乃至図１２）
【発明の開示】
【発明が解決しようとする課題】
【００１５】
しかしながら、このような従来の雨水貯留槽１を有する地下埋設型貯留浸透システムでは、前記濁質止めリング部１０の上縁１０ａを乗り越えた雨水Ｗ１が、前記貫通孔部９から、下面側へ流出する。
【００１６】
この雨水Ｗ１内には、前記濁質が含まれていて、一定時間経過すると、前記浸透シート４によってフィルタリングされて、徐々に濁質Ｄ２が、この貫通孔部９と略同一の面積Ｓを有する底面部４ａの浸透シート４上側を閉塞してしまう虞があった。
【００１７】
このため、短いメンテナンス間隔で、前記濁質Ｄ２が除去されない場合、雨水Ｗ２の流出が、設定されている水量とならないため、所望の浸透性能を発揮出来ず、永年使用性が良好とは言い難いといった問題があった。
【００１８】
そこで、この発明は、メンテナンス間隔を長くすることができる貯留浸透槽の底板構造、該底板構造を有する充填部材及び該充填部材を用いた地下埋設型貯留浸透システムを提供することを課題としている。
【課題を解決するための手段】
【００１９】
上記目的を達成するために、請求項１に記載された発明は、地中に埋設される雨水貯留浸透槽内に、上下左右に積層されて空隙を形成して充填される充填部材を有して、該形成された空隙に雨水を貯留するとともに、該貯留された雨水を、該充填部材の周囲に設けられた浸透シートから、地中へ浸透させる地下埋設型貯留浸透システムに用いられる底板構造であって、前記充填部材の最下面部に設けられる底板には、該底板の上面側から下面側に向けて、該上面に滞留した雨水を流下させる貫通孔部を設け、該底板のうち、前記浸透シートに対面する下面側には、該貫通孔部の周囲に凹設形成される逃がし流路を形成する底板構造を特徴としている。
【００２０】
また、請求項２に記載されたものは、前記逃がし流路は、貫通孔部の下面側周縁に凹設形成される環状の周縁凹溝部である請求項１記載の底板構造を特徴としている。
【００２１】
そして、請求項３に記載されたものは、前記逃がし流路は、近接する貫通孔部間を連通させるように形成されている請求項１又は２記載の底板構造を特徴としている。
【００２２】
更に、請求項４に記載されたものは、前記逃がし流路は、前記底板の上面側に形成される補強リブ部の位置と、一致させて形成されている請求項１乃至３のうち、何れか一項記載の底板構造を特徴としている。
【００２３】
また、請求項５に記載されたものは、前記底板の上面側には、前記貫通孔部の周縁から上方に向けて、濁質止めリング部が一体に突設形成されている請求項１乃至４のうち、何れか一項記載の底板構造を特徴としている。
【００２４】
そして、請求項６に記載されたものは、前記底板の下面側に形成された前記逃がし流路の天井面部が、雨水貯留浸透槽の床部に敷設された前記浸透シートから間隔を置くように対面されて載置されると共に、他の充填部材を前記充填部材の上部に積層することを特徴とする請求項１乃至５のうち、何れか一項記載の底板構造からなる地下埋設型貯留浸透システム。
【発明の効果】
【００２５】
このように構成された請求項１記載の発明では、前記逃がし流路が、前記貫通孔部の周囲に凹設形成されているので、前記貫通孔部の下側で、雨水を浸出出来る浸透シートの面積は、前記貫通孔部の面積と、該逃がし流路のうち、前記浸透シートの上面に対向する面積との合計面積となる。
【００２６】
このため、前記貫通孔部を流下した濁質を含む雨水が、該貫通孔部の面積よりも広い面積を有する前記浸透シート上面側から、該浸透シートを介して、地中に浸出する。
【００２７】
従って、雨水を浸透させている全ての面積で、前記浸透シートが目詰まりして、閉塞されてしまうまでの間隔を延長することができる。
【００２８】
よって、メンテナンス間隔を延長して、永年使用性を良好なものとすることが出来る。
【００２９】
また、請求項２に記載の発明では、前記逃がし流路として、前記貫通孔部の下面側周縁に環状の周縁凹溝部が凹設形成されている。
【００３０】
この周縁凹溝部に向けて、濁質を含む雨水が、該貫通孔部が流れ落ちて、周囲に分散する。
【００３１】
この際、周縁凹溝部の面積は、従来の貫通孔部の面積に加算されて、雨水を前記浸透シートに浸透させる面積を増大させることが出来、前記貫通孔部の形成位置に合わせて分散させることもできる。
【００３２】
従って、該周縁凹溝部を前記貫通孔部の下側周縁に凹設するだけで、前記底板の下面側の受圧面積を損なうこと無く、更に、前記浸透シートが、目詰まりするまでの時間を延長することができる。
【００３３】
更に、請求項３に記載されたものは、前記逃がし流路によって、近接する貫通孔部間が接続されているので、全ての貫通孔部に逃がし流路を個別に設けるものに比して、逃がし流路本数を減少させて、前記底板の下面側の受圧面積の減少を抑制できる。
【００３４】
そして、請求項４に記載されたものは、前記逃がし流路が、前記底板の上面側に形成される補強リブ部の位置と、一致させて形成されている。
【００３５】
このため、上面側に形成される補強リブ部の成型ヒケを利用して、前記逃がし流路を凹設形成することにより、樹脂材料量の増大を抑制しつつ、所望の強度を得られる。
【００３６】
また、請求項５に記載されたものは、前記底板の上面側に形成された濁質止めリング部が、前記貫通孔部の周縁から上方に向けて、一体に突設形成されている。
【００３７】
このため、前記雨水に含まれる濁質のうち、比較的比重の大きな一部は、該濁質止めリング部の手前で、底板の上面側に残留して、上澄みのみとなった濁質の少ない雨水が、前記貫通孔部から前記浸透シートを介して浸出する。
【００３８】
従って、浸透シートの上面側に滞留する濁質の分量を減少させて、更に、メンテナンス間隔を延長できる。
【００３９】
そして、請求項６に記載されたものは、地下埋設型貯留浸透システムの充填部材のうち、前記底板の下面側に形成された前記逃がし流路の天井面部が、雨水貯留浸透槽の床部に敷設される際、前記浸透シートから間隔を置くように対面させて載置される。
【００４０】
このため、他の充填部材が、該底面部を有する充填部材の上部に積層されて、上方から荷重が加わっても、底板の受圧面積を確保しつつ、前記逃がし流路の天井面部と、前記浸透シートの上面部との間に、一定の流水通路が維持されて、濁質を含む雨水を、該浸透シートの上面部に拡散させることができる。
【発明を実施するための最良の形態】
【００４１】
次に、図面に基づいて、この発明を実施するための最良の実施の形態の貯留浸透槽の底板構造、該底板構造を有する充填部材及び該充填部材を用いた地下埋設型貯留浸透システムについて説明する。
【００４２】
なお、前記従来例と同一乃至均等な部分については、同一符号を付して説明する。
【００４３】
この実施の形態では、図１１中の従来例に示す雨水貯留槽１と略同様に構成される雨水貯留浸透槽１１が設けられた地下埋設型貯留浸透システムで、図２に示すように、地中Ｇに埋設される充填部材２…等が積層された貯留空間としての雨水貯留浸透槽１１の床部１１ａには、略中央にメンテナンス排水用のＵ字溝部１１ｂが形成されている。
【００４４】
この雨水貯留浸透槽１１の床部１１ａは、上面側が略平坦に形成されると共に、この雨水貯留浸透槽１１の外周部を略全部包み込むように設けられる浸透シート４が、底面部４ａが添着された状態で、敷設されている。
【００４５】
また、この底面部４ａには、前記複数の充填部材２…のうち、最下面部に設けられる充填部材の一つとしての底板部材１２…が、縦横に敷き詰められて、複数枚敷設されている。
【実施例１】
【００４６】
図１乃至図１０は、この発明の実施の形態の実施例１の充填部材及び該充填部材を用いた地下埋設型貯留浸透システムを示している。
【００４７】
まず、この実施例１の充填部材の一つとしての底板部材１２の構成から説明すると、この底板部材１２は、図１及び図３に示すように、上面視略正方形形の平板状を呈する底板としての底板本体１３を有している。
【００４８】
この底板本体１３は、前記他の充填部材２…と、略同一外形寸法のモジュール体として構成されていて、図２に示すように、四辺を側面板部１４…で囲まれた上側面１３ａには、複数の縦横補強リブ部１５…及び放射状斜め補強リブ部１６…が、一体に設けられている。
【００４９】
そして、これらの縦横補強リブ部１５…及び放射状斜め補強リブ部１６…によって、面剛性を向上させるように補強されることにより、上方から加わる荷重を面状に受け止めて、前記床部１ａに略均等に分散させるように構成されている。
【００５０】
なお、図４乃至図８では、説明の容易化の為、これらの縦横補強リブ部１５…及び放射状斜め補強リブ部１６…の記載が省略されている。
【００５１】
また、この底板部材１２の四隅には、上面視略二等辺直角三角形状を呈して、脚部連結部５ｃ…が、凹設形成されている。
【００５２】
この脚部連結部５ｃ…は、各々前記上部に積層された他の充填部材２の四隅の各脚部２ａ…若しくは、前記上方に積層される他の充填部材２…の脚部２ａ…との間に介装される連結部材としてのスペーサ部材６…等が、係合されることにより、前記底板部材１２を他の充填部材２と一体化されて、埋設されるように構成されている。
【００５３】
そして、この底板部材１２の少なくとも一部には、図１乃至図３に示すように、底板本体１３の上面側１３ａから下面側１３ｂに向けて、この底板本体１３の上面側１３ａに滞留した雨水を流下させる貫通孔部９…が設けられている。
【００５４】
この実施例１では、図２に示されるように、各縦横補強リブ部１５…及び放射状斜め補強リブ部１６…の交点に下側を凹状に切り欠かれて、切欠部１７…が形成されている。
【００５５】
この切欠部１７に構成される空間内で、各交点の真下に位置して、前記貫通孔部９…が、田の字状交点の９箇所に分散されて形成されている。
【００５６】
これらの貫通孔部９…の上面側１３ａ周縁からは、上方に向けて、各々管筒状の濁質止めリング部１０…が、一体に突設形成されている。
【００５７】
この実施例１の濁質止めリング部１０は、底板本体１３の上面側１３ａから、一定高さｈを有するように構成されていて、図７に示されるように、前記四辺を側面板部１４…で囲まれた底板本体１３の上側面１３ａに滞留した雨水Ｗが、この濁質止めリング部１０を乗り越えて、前記貫通孔部９から下面側１３ｂに流下するように、構成されている。
【００５８】
そして、この雨水Ｗに、含まれる濁質Ｄのうち、図８に示すように、比較的比重の重い泥Ｄ１等の濁質が、これらの各濁質止めリング部１０周縁に留まり、白抜き矢印で示される比較的濁質Ｄの含有量の少ない雨水Ｗ１が、前記濁質止めリング部１０の上縁１０ａを乗り越えて、前記貫通孔部９から、下面側１３ｂの浸透シート４上へ流出するように構成されている。
【００５９】
更に、この底板本体１３のうち、前記浸透シート４に対面する下面側１３ｂには、図１及び図３に示されるように、これらの貫通孔部９…の周囲に、逃がし流路としての環状の周縁凹溝部９ａ…が形成されている。
【００６０】
この周縁凹溝部９ａ…は、各々前記濁質止めリング部１０…の真下に、同心円状に形成されて、この濁質止めリング部１０の外径に比して、内径が小さくなるように設定されている。
【００６１】
また、この周縁凹溝部９ａを交点として、各々直交するように、逃がし流路としての縦横凹溝１８…が凹設形成されると共に、この周縁凹溝部９ａから、放射状に延設される斜め凹溝１９，１９が、下方を開放方向として、凹設形成されている。
【００６２】
このうち、前記縦横凹溝１８…は、図２に示す前記底板本体１３の上面側１３ａに形成される縦横補強リブ部１５…の位置と、一致させて形成されていて、図１に示すように、所定間隔を置いて、複数本並設されていると共に、縦列及び横列の各縦横補強リブ部１５…間が、相互に略直交されて設けられることにより、上面視格子状を呈するように構成されている。
【００６３】
また、前記斜め凹溝１９，１９は、図２に示すように、前記底板本体１３の上面側１３ａに形成される放射状斜め補強リブ部１６，１６の位置と、一致されて形成されていて、図１に示すように、底板本体１３の中央の貫通孔部９の周囲から、放射状を呈するように延設されている。
【００６４】
更に、この実施例１の底板構造では、図１及び図３に示すように、前記中央の貫通孔部９と周囲の他の貫通孔部９…との間が、これらの縦横凹溝１８…及び放射状に形成される斜め凹溝１９，１９によって、連続するように接続されていると共に、縦横方向で、近接する貫通孔部９，９間が、前記各縦横凹溝１８…によって、連続するように接続されている。
【００６５】
また、この実施例１の底板構造では、前記斜め凹溝１９の深さが、前記浸透シート４の底面部４ａ上面から間隔ｈ２を置くように、縦横凹溝１８の間隔ｈ１よりも小さく設定されて、この縦横凹溝１８の深さよりも浅く形成されている。
【００６６】
更に、この実施例１では、前記貫通孔部９…の周囲に、逃がし流路としての環状の周縁凹溝部９ａ…が形成されていて、図８に示すように、他の縦横凹溝１８等の天井面部１８ａよりも、前記底面部４ａ上面からの間隔ｈ３が、大きくなるように設定されている。
【００６７】
次に、この実施の形態の実施例１の充填部材及び該充填部材を用いた地下埋設型貯留浸透システムの作用効果について説明する。
【００６８】
この実施例１では、前記逃がし流路としての縦横凹溝１８…及び放射状の斜め凹溝１９，１９が、前記各貫通孔部９…の周囲に凹設形成されているので、前記貫通孔部９の下側で、雨水を浸出出来る浸透シート４の面積は、前記貫通孔部９の面積と、これらの逃がし流路のうち、前記浸透シート４の上面に対向する面積との合計面積となる。
【００６９】
例えば、図４に示すように、中央の一断面部分でも、前記貫通孔部９…の面積に加えて、縦横凹溝１８の延設された方向に雨水Ｗを浸透可能な面積が、拡大されていることが分かる。
【００７０】
このため、図７に示すように、前記貫通孔部９を流下した濁質を含む雨水Ｗが、これらの貫通孔部９…を流下した後、この貫通孔部９の周囲に連設形成された前記縦横凹溝１８…及び放射状の斜め凹溝１９，１９から、浸透シート４の上面側に広がる。
【００７１】
従って、貫通孔部９…の合計面積よりも広い面積を有する前記浸透シート４の上面側から、この浸透シート４を介して、雨水Ｗ２…として地中Ｇに浸出する。
【００７２】
従って、雨水Ｗ２…を浸透させている全ての面積で、前記浸透シート４が目詰まりして、閉塞されてしまうまで、地中Ｇに浸出しにくくなる虞が無く、完全に目詰まりを起こして浸透性に影響が出るまでの間隔を延長することができる。
【００７３】
よって、メンテナンス間隔を延長して、永年使用性を良好なものとすることが出来る。
【００７４】
また、前記斜め凹溝１９，１９が、前記縦横凹溝１８，１８に加えて、前記貫通孔部９の周囲から放射状に延設されている。
【００７５】
例えば、図３中、底板本体１３中央の貫通孔部９の周囲から、前記周縁凹溝部９ａを介して、これらの斜め凹溝１９，１９及び縦横凹溝１８，１８が、縦横斜めの八方に向けて延設されているので、濁質Ｄを含む雨水Ｗ１は、これらの斜め凹溝１９，１９及び縦横凹溝１８，１８に沿って、分散する。
【００７６】
この際、各斜め凹溝１９，１９及び縦横凹溝１８，１８凹溝の通路の幅は、略均等に設定されていても、放射状に延設された寸法分、雨水Ｗ１を前記浸透シート４に浸透させる面積を増大させることができる。
【００７７】
従って、各斜め凹溝１９，１９及び縦横凹溝１８，１８の延設によっても、前記底板本体１３の下面側１３ｂの残された平坦な部分を充分に残存させることができる。
【００７８】
しかも、この実施例１では、前記貫通孔部９…の下側周縁に形成される周縁凹溝部９ａ…の位置を、略正方形の上面視形状を有する底板本体１３内で田の字状に略均等に分散させている。
【００７９】
従って、受圧面積を損なうことが無いと共に、受圧部分に偏りを発生させることなく、更に、前記浸透シート４が、目詰まりするまでの時間を延長することができる。
【００８０】
更に、前記各これらの斜め凹溝１９，１９及び縦横凹溝１８，１８によって、近接する貫通孔部９，９間が接続されているので、全ての貫通孔部９…毎に、逃がし流路を個別に設けるものに比して、斜め凹溝１９，１９及び縦横凹溝１８，１８の本数を減少させることができる。
【００８１】
従って、この点においても、前記底板本体１３の下面側１３ｂの受圧面積の減少を抑制できる。
【００８２】
そして、この実施例１では、前記各斜め凹溝１９，１９及び縦横凹溝１８…が、前記底板の上面側に形成される放射状斜め補強リブ部１６，１６及び縦横補強リブ部１５…の位置と、一致されるように形成されている。
【００８３】
このため、この底板本体１３の上面側１３ａに形成される各放射状斜め補強リブ部１６，１６及び縦横補強リブ部１５…の成型ヒケを利用して、前記各放射状の斜め凹溝１９，１９及び縦横凹溝１８…が凹設形成されることにより、成型時には、良好な樹脂流れを得られて、容易に所望の高さの各放射状斜め補強リブ部１６，１６及び縦横補強リブ部１５…を得られる。
【００８４】
また、これらの各放射状に形成された斜め凹溝１９，１９及び縦横凹溝１８…が凹設される分、全面に渡り平坦なものに比して、樹脂材料量の増大を抑制することができる。
【００８５】
しかも、底板本体１３の下面側１３ｂの他の平坦な部分に樹脂ヒケが発生しないので、外観品質が良好であると共に、所望の強度を得られる。
【００８６】
更に、この実施例１では、前記底板本体１３の上面側１３ａの各貫通孔部９…に周縁に形成された濁質止めリング部１０…が、前記貫通孔部９の周縁から上方に向けて、一体に突設形成されている。
【００８７】
このため、前記雨水Ｗに含まれる濁質Ｄのうち、比較的比重の大きな一部の濁質Ｄは、図８に示すように、この濁質止めリング部１０の手前で、底板本体１３の上面側１３ａに残留して、上澄みのみとなった濁質の少ない雨水Ｗ１が、前記貫通孔部９から前記浸透シート４を介して、雨水Ｗ２…として浸出する。
【００８８】
従って、浸透シート４の上面側に滞留する濁質Ｄ２…の分量を減少させて、更に、メンテナンス間隔を延長できる。
【００８９】
そして、この実施例１では、図２に示すように、前記底板構造を有する底板部材１２の四隅に、上方に積層される他の充填部材２…の脚部２ａ…若しくは、これらの底板部材１２の上に積層される充填部材２との間の連結部材６…若しくは、充填部材２，２間等の連結部材６…に対して、係合する脚部連結部５ｃ…が設けられている。
【００９０】
このため、他の充填部材２若しくは、連結部材６…を積層する際、これらの脚部連結部５ｃ…の上方から係合させるだけで、容易に、上部の貯留空間部を構成する他の充填部材２と連結させて、移動不能に固定できる。
【００９１】
また、地下埋設型貯留浸透システムの底板部材１２のうち、図４又は図５に示すように、前記底板本体１３の下面側１３ｂに形成された前記縦横凹溝１８…及び斜め凹溝１９，１９の天井面部１８ａ及び１９ａが、雨水貯留浸透槽１１の床部１１ａに敷設される際、前記浸透シート４の上面から間隔ｈ１，ｈ２を置くように対面させて載置される。
【００９２】
このため、他の充填部材２…が、この底板本体１３を有する底板部材１２の上部に積層されて、上方から荷重が加わっても、底板本体１３の受圧面積を確保しつつ、前記縦横凹溝１８…及び斜め凹溝１９，１９の天井面部１８ａ及び１９ａと、前記浸透シート４の上面部との間に、一定の通水可能な断面積を有する流水通路が維持されて、濁質Ｄを含む雨水Ｗ１…を、浸透シート４の上面部に拡散させることができる。
【００９３】
しかも、この実施例１では、前記貫通孔部９の直下の浸透シート４の上面に濁質Ｄ２が堆積して目詰まりを起こしても、前記周縁凹溝部９ａと連通する縦横凹溝１８…及び斜め凹溝１９，１９によって形成される前記流水通路から、目詰まりしていない他の浸透シート４の上面に、雨水Ｗ２が分散するように導かれて、地中Ｇに浸透させることができる。
【００９４】
また、この実施例１の底板構造では、前記斜め凹溝１９の深さが、前記浸透シート４底面部４ａ上面から間隔ｈ２を置くように、縦横凹溝１８の間隔ｈ１よりも小さく設定されて、この縦横凹溝１８の深さよりも浅く形成されている。
【００９５】
このため、斜め方向に近接配置される貫通孔部９の周縁凹溝部９ａ，９ａ間に一定の断面積を有する流水通路を確保しながら、これらの斜め凹溝１９に沿って、前記底板本体１３が、屈曲する虞を減少させることができる。
【００９６】
また、この実施例１では、図７に示すように、前記貫通孔部９…から流下した雨水Ｗ１は、各縦横凹溝１８…及び斜め凹溝１９，１９に沿って分散されながら、流れを形成する。  このため、前記浸透シート４の底面部４ａ上面側は、常に雨水の流れによる動水圧を受け続け、一旦滞留した濁質Ｄも流れるので、図８のように、前記貫通孔部９…の真下に濁質Ｄ２，Ｄ２が滞留しにくい。
【００９７】
更に、この実施例１では、前記貫通孔部９…の周囲に、逃がし流路としての環状の周縁凹溝部９ａ…が形成されていて、図８に示すように、他の縦横凹溝１８等の天井面部１８ａよりも、前記底面部４ａ上面からの間隔ｈ３が、大きくなるように設定されている。
【００９８】
このため、浸透シート４の底面部４ａ上面側に、濁質Ｄ２が滞留しても、濁質Ｄ２の上端が、貫通孔部９の下周縁に到達しにくく、容易に前記貫通孔部９…が閉塞される虞が少ない。
【実施例２】
【００９９】
図９は、この発明の実施の形態の実施例２の充填部材としての底板部材２２を示している。
【０１００】
なお、前記実施の形態及び実施例１と同一乃至均等な部分については、同一符号を付して説明する。
【０１０１】
この実施例２の底板部材２２を構成する底板としての底板本体２３の下面側２３ｂには、逃がし流路としての段違い梯子状凹溝２８…が、正面視略長方形形状を呈して、所定間隔を置いて、複数列配列される角脚部２９…の間に、凹設形成されている。
【０１０２】
この実施例２の前記逃がし流路としての段違い梯子状凹溝２８…は、上方に積層される他の充填部材２…の重量を受圧可能な面積を、約６０〜８０％、この下面側２３ｂに残して形成されている。
【０１０３】
次に、この実施例２の底板部材２２の作用効果について、説明する。
【０１０４】
この実施例２の底板部材２２の前記段違い梯子状凹溝２８…が形成される底板本体２３の下面側２３ｂは、上方に積層される図示省略の他の充填部材２…等の重量を受圧可能な面積を、前記複数列、突設されて配列される角脚部２９…によって、約６０〜８０％残している。
【０１０５】
このため、前記段違い梯子状凹溝２８…が、上方からの加重によって、流水に必要とされる通路断面積を減少させるように押しつぶされたり、或いは、前記浸透シート４或いは地中Ｇの土砂が上昇することによって塞がれてしまう虞がない。
【０１０６】
他の構成、及び作用効果については、前記実施の形態及び実施例１と略同様であるので、説明を省略する。
【実施例３】
【０１０７】
図１０は、この発明の実施の形態の実施例３の充填部材としての底板部材３２を示している。
【０１０８】
なお、前記実施の形態及び実施例１及び２と同一乃至均等な部分については、同一符号を付して説明する。
【０１０９】
この実施例３の底板部材３２を構成する底板としての底板本体３３の下面側３３ｂは、逃がし流路としての逃がし凹溝３８…が、正面視略円形形状を呈して、所定間隔を置いて、複数列配列される丸脚部３９…の間に、凹設形成されている。
【０１１０】
これらの逃がし凹溝３８…は、上方に積層される図示省略の他の充填部材２…等の重量を受圧可能な面積を、複数の丸脚部３９…を突設配列することにより、底板本体３３の下面側３３ｂに約５０〜７０％、残して形成されている。
【０１１１】
次に、この実施例３の底板部材３２の作用効果について、説明する。
【０１１２】
この実施例３の底板部材３２の前記逃がし凹溝３８…が形成される底板本体３３の下面側３３ｂは、上方に積層される図示省略の他の充填部材２…等の重量を受圧可能な面積を、前記複数個、突設されて配列される丸脚部３９…によって、約５０〜７０％残すように設定されている。
【０１１３】
このため、前記逃がし凹溝３８…が、上方からの加重によって、流水に必要とされる通路断面積を減少させるように押しつぶされたり、或いは、前記浸透シート４或いは地中Ｇの土砂が上昇することによって塞がれてしまう虞が減少する。
【０１１４】
しかも、一箇所の前記丸脚部３９，３９間の流水通路が塞がれても、他の部分の流水通路が、前記貫通孔部９の周囲に複数形成されているので、濁質Ｄを含む雨水Ｗ１の通水が不能となる虞が少ない。
【０１１５】
他の構成、及び作用効果については、前記実施の形態，実施例１及び２と略同様であるので、説明を省略する。
【０１１６】
以上、図面を参照して、本発明の実施の形態及び実施例１を詳述してきたが、具体的な構成は、この実施の形態に限らず、本発明の要旨を逸脱しない程度の設計的変更は、本発明に含まれる。
【０１１７】
即ち、前記実施の形態の実施例１では、底板を構成する底板本体１３が、図１及び図３に示すように、上面視略正方形形の平板状を呈する底板として、充填部材の一部を構成する底板部材１２に一体に設けられたものを示して説明してきたが、特にこれに限らず、例えば、底板が底板部材１２等の充填部材と別体で設けられていたり、あるいは、充填部材を構成しない下部部材に一体に設けられていても良く、前記貫通孔部９の周囲に凹設形成される逃がし流路を形成する底板であれば、逃がし流路の形状、数量及び底板の材質等が限定されるものではない。
【０１１８】
また、この実施例１の底板構造では、前記斜め凹溝１９の深さが、前記浸透シート４底面部４ａ上面から間隔ｈ２を置くように、縦横凹溝１８の間隔ｈ１よりも小さく設定されて、この縦横凹溝１８の深さよりも浅く形成されているが、特にこれに限らず、間隔ｈ１が、間隔ｈ２よりも小さい場合や、同一寸法で有る場合、若しくは、各天井面部１８ａ，１９ａ内に、徐変等、異なる寸法を与えて傾斜させる等、前記斜め凹溝１９，１９及び、縦横凹溝１８…の形状、数量及び形成間隔等が、特に限定されるものではない。
【０１１９】
更に、この実施例１では、前記貫通孔部９…の周囲に、逃がし流路としての環状の周縁凹溝部９ａ…が形成されていて、図８に示すように、他の縦横凹溝１８等の天井面部１８ａよりも、前記底面部４ａ上面からの間隔ｈ３が、大きくなるように設定されているが、特にこれに限らず、例えば、周縁凹溝部９ａを設けることなく、前記斜め凹溝１９…若しくは、縦横凹溝１８…のうち少なくとも何れか一方若しくは、この周縁凹溝部９ａのみを設ける等、周縁凹溝部９ａの凹設形状、数量及び、前記斜め凹溝１９…又は、縦横凹溝１８…との接続部分の形状がどのように構成されていても良いことは当然である。
【図面の簡単な説明】
【０１２０】
【図１】この発明の最良の実施の形態の実施例１の充填部材で、底板部材の下面側の構成を説明する斜視図である。
【図２】実施例１の充填部材及び該充填部材を用いた地下埋設型貯留浸透システムで、雨水貯留浸透槽の床部近傍の構成を説明する一部断面分解斜視図である。
【図３】実施例１の充填部材で、底板部材の下面側の構成を説明する正面図である。
【図４】実施例１の充填部材で、補強リブ部を省略した図３中Ａ−Ａ線に沿った位置での端面図である。
【図５】実施例１の充填部材で、補強リブ部を省略した図３中Ｂ−Ｂ線に沿った位置での端面図である。
【図６】実施例１の充填部材で、図３中矢視Ｄ方向から見た側面図である。
【図７】実施例１の充填部材が用いられた地下埋設型貯留浸透システムで、補強リブ部を省略した図３中Ａ−Ａ線に沿った位置に相当する部分において、雨水が滞留している様子を説明する端面図である。
【図８】実施例１の充填部材が用いられた地下埋設型貯留浸透システムで、補強リブ部を省略した図３中Ａ−Ａ線に沿った位置に相当する部分において、雨水が下面側に流下する様子を説明する端面図である。
【図９】この発明の最良の実施の形態の実施例２の充填部材で、底板部材の下面側の構成を説明する平面図である。
【図１０】この発明の最良の実施の形態の実施例３の充填部材で、底板部材の下面側の構成を説明する平面図である。
【図１１】従来例の充填部材及び該充填部材を用いた地下埋設型貯留浸透システムで、雨水貯留浸透槽の構成を説明する地中の縦断面図である。
【図１２】従来例の充填部材及び該充填部材を用いた地下埋設型貯留浸透システムで、充填部材等の組み合わせを説明する分解斜視図である。
【図１３】従来例の充填部材が用いられた地下埋設型貯留浸透システムで、補強リブ部を省略した図１２中Ｃ−Ｃ線に沿った位置での端面図である。
【符号の説明】
【０１２１】
２                充填部材
２ａ              脚部
４                浸透シート
６                スペーサ部材（連結部材）
８                接続部材（連結部材）
９                貫通孔部
１０              濁質止めリング部
１２，２２，３２  底板部材（充填部材）
１３，２３，３３  底板本体（底板）
１３ｂ，２３ｂ，３３ｂ
下面側
１５              縦横補強リブ部（補強リブ部）
１６              放射状斜め補強リブ部（補強リブ部）
１８              縦横凹溝（逃がし流路）
１９              斜め凹溝（逃がし流路）
１８ａ，１９ａ    天井面部
２８              段違い梯子状凹溝（逃がし流路）
３８              逃がし凹溝（逃がし流路）
【図１】
0004966823.tif 000002
【図２】
0004966823.tif 000003
【図３】
0004966823.tif 000004
【図４】
0004966823.tif 000005
【図５】
0004966823.tif 000006
【図６】
0004966823.tif 000007
【図７】
0004966823.tif 000008
【図８】
0004966823.tif 000009
【図９】
0004966823.tif 000010
【図１０】
0004966823.tif 000011
【図１１】
0004966823.tif 000012
【図１２】
0004966823.tif 000013
【図１３】
0004966823.tif 000014